(57)【要約】【課題】弾性止水部材を配線部材に容易に装着できるようにすることを目的とする。【解決手段】配線部材２０と、前記配線部材２０のうちの長手方向の一部を収容可能な貫通収容部３２が形成された弾性止水部材３０と、を備え、前記弾性止水部材３０は、第１分割止水部材３６と第２分割止水部材３８とを含み、前記第１分割止水部材３６と前記第２分割止水部材３８とは、前記貫通収容部３２を縦割りするように、前記弾性止水部材３０を分割した部材であり、前記配線部材２０のうちの長手方向の一部が前記貫通収容部３２内に収容された状態で、第１分割止水部材３６と前記第２分割止水部材３８とが合体した状態に保たれている、配線モジュール１０である。【選択図】図８
2022002432.tif 000002
【特許請求の範囲】
【請求項１】
配線部材と、
前記配線部材のうちの長手方向の一部を収容可能な貫通収容部が形成された弾性止水部材と、
を備え、
前記弾性止水部材は、第１分割止水部材と第２分割止水部材とを含み、
前記第１分割止水部材と前記第２分割止水部材とは、前記貫通収容部を縦割りするように、前記弾性止水部材を分割した部材であり、
前記配線部材のうちの長手方向の一部が前記貫通収容部内に収容された状態で、前記第１分割止水部材と前記第２分割止水部材とが合体した状態に保たれている、配線モジュール。
【請求項２】
請求項１に記載の配線モジュールであって、
前記第１分割止水部材及び前記第２分割止水部材の少なくとも１つは、前記貫通収容部が縦割りされた部分として、半円を超える周面部分を含む、配線モジュール。
【請求項３】
請求項１又は請求項２に記載の配線モジュールであって、
前記配線部材は、複数の線状配線部材と、前記複数の線状配線部材を覆う被覆部材とを含み、前記被覆部材の端部から前記複数の線状配線部材が延出しており、
前記貫通収容部は、前記被覆部材の端部を覆う被覆部材収容凹部と、前記被覆部材収容凹部と連続する複数の貫通部とを含み、
前記複数の貫通部は、前記複数の線状配線部材に対応して設けられ、
前記弾性止水部材は、前記被覆部材収容凹部から前記複数の貫通部に至る部分を分割するように、前記第１分割止水部材と前記第２分割止水部材とに分割されている、配線モジュール。
【請求項４】
請求項１から請求項３のいずれか１項に記載の配線モジュールであって、
前記配線部材は、線状配線部材と奥側線状配線部材とを含み、
前記貫通収容部は、前記線状配線部材のうちの長手方向の一部を収容可能な貫通部と、前記奥側線状配線部材のうちの長手方向の一部を収容可能な奥側貫通部とを含み、
前記奥側貫通部が前記第１分割止水部材に設けられるように、前記弾性止水部材が分割されており、
前記第１分割止水部材に、前記貫通部から前記奥側貫通部に至るスリットが形成されている、配線モジュール。
【請求項５】
請求項１から請求項４のいずれか１項に記載の配線モジュールであって、
互いに合体可能な第１外装部材と第２外装部材とを含む外装部材をさらに備え、
前記第１外装部材と前記第２外装部材とが合体した状態で、前記第１外装部材と前記第２外装部材との間に、前記第１分割止水部材と前記第２分割止水部材とが合体状態で収容されている、配線モジュール。
【請求項６】
請求項５に記載の配線モジュールであって、
前記第１外装部材が前記第１分割止水部材の分割面を露出させた状態で前記第１分割止水部材を保持している、配線モジュール。
【請求項７】
請求項６に記載の配線モジュールであって、
前記第２外装部材が前記第２分割止水部材の分割面を露出させた状態で前記第２分割止水部材を保持している、配線モジュール。
【請求項８】
請求項７に記載の配線モジュールであって、
前記第１分割止水部材と前記第１外装部材との一方に第１セット凸部が形成され、他方に前記第１セット凸部を第１姿勢で嵌込可能な第１セット凹部が形成され、
前記第２分割止水部材と前記第２外装部材との一方に第２セット凸部が形成され、他方に前記第２セット凸部を第２姿勢で嵌込可能な第２セット凹部が形成されている、配線モジュール。
【請求項９】
配線部材に装着される弾性止水部材であって、
前記配線部材のうちの長手方向の一部を収容可能な貫通収容部が形成され、
前記貫通収容部を縦割りするように、前記弾性止水部材が分割された第１分割止水部材と第２分割止水部材とを備える、弾性止水部材。
【請求項１０】
請求項９に記載の弾性止水部材であって、
前記第１分割止水部材及び前記第２分割止水部材の少なくとも１つは、前記貫通収容部が縦割りされた部分として、半円を超える周面部分を含む、弾性止水部材。
【請求項１１】
請求項９又は請求項１０に記載の弾性止水部材であって、
前記貫通収容部は、一方側に開口する被覆部材収容凹部と、前記被覆部材収容凹部の奥側と連続する複数の貫通部とを含み、
前記被覆部材収容凹部から前記複数の貫通部に至る部分を分割するように、前記第１分割止水部材と前記第２分割止水部材とに分割されている、弾性止水部材。
【請求項１２】
請求項９から請求項１１のいずれか１項に記載の弾性止水部材であって、
前記貫通収容部は、前記配線部材における線状配線部材の長手方向の一部を収容可能な貫通部と、前記配線部材における前記線状配線部材とは別の線状配線部材の長手方向の一部を収容可能な奥側貫通部とを含み、
前記奥側貫通部が前記第１分割止水部材に設けられるように、前記弾性止水部材が分割されており、
前記第１分割止水部材に、前記貫通部から前記奥側貫通部に至るスリットが形成されている、弾性止水部材。
【発明の詳細な説明】
【技術分野】
【０００１】
本開示は、配線モジュール及び弾性止水部材に関する。
【背景技術】
【０００２】
特許文献１は、多芯ケーブルに適用されるゴム栓を開示している。ゴム栓は、多芯ケーブルにおけるシースの端部に外嵌されるシース外嵌部を有すると共に、シースの端部から導出された複数の電線のそれぞれが貫通される複数の貫通孔を有する電線貫通部とを有する構成とされている。
【先行技術文献】
【特許文献】
【０００３】
【特許文献１】特開２０１６−１０３０３号公報
【発明の概要】
【発明が解決しようとする課題】
【０００４】
特許文献１に開示されているように、多芯ケーブルを伝う水の侵入を抑制するため、電線がゴム栓の貫通孔に貫通する構成が採用される。
【０００５】
ここにおいて、配線部材を、弾性止水部材の貫通孔に容易に貫通できるようにすることが望まれている。
【０００６】
そこで、本開示は、弾性止水部材を配線部材に容易に装着できるようにすることを目的とする。
【課題を解決するための手段】
【０００７】
本開示の配線モジュールは、配線部材と、前記配線部材のうちの長手方向の一部を収容可能な貫通収容部が形成された弾性止水部材と、を備え、前記弾性止水部材は、第１分割止水部材と第２分割止水部材とを含み、前記第１分割止水部材と前記第２分割止水部材とは、前記貫通収容部を縦割りするように、前記弾性止水部材を分割した部材であり、前記配線部材のうちの長手方向の一部が前記貫通収容部内に収容された状態で、前記第１分割止水部材と前記第２分割止水部材とが合体した状態に保たれている、配線モジュールである。
【０００８】
本開示の弾性止水部材は、配線部材に装着される弾性止水部材であって、前記配線部材のうちの長手方向の一部を収容可能な貫通収容部が形成され、前記貫通収容部を縦割りするように、前記弾性止水部材が分割された第１分割止水部材と第２分割止水部材とを備える、弾性止水部材である。
【発明の効果】
【０００９】
本開示によれば、弾性止水部材が配線部材に容易に装着される。
【図面の簡単な説明】
【００１０】
【図１】図１は配線モジュールを示す斜視図である。
【図２】図２は配線モジュールを示す分解斜視図である。
【図３】図３は配線モジュールを示す分解斜視図である。
【図４】図４は弾性止水部材を示す平面図である。
【図５】図５は弾性止水部材を示す正面図である。
【図６】図６は図５のＶＩ−ＶＩ線断面図である。
【図７】図７は図４のＶＩＩ−ＶＩＩ線断面図である。
【図８】図８は配線モジュールの製造手順の一例を示すための斜視図である。
【図９】図９は第１変形例に係る弾性止水部材を示す斜視図である。
【図１０】図１０は弾性止水部材を示す底面図である。
【図１１】図１１は第２変形例に係る弾性止水部材を示す斜視図である。
【図１２】図１２は第３変形例に係る弾性止水部材を示す斜視図である。
【発明を実施するための形態】
【００１１】
［本開示の実施形態の説明］
最初に本開示の実施態様を列記して説明する。
【００１２】
本開示の配線モジュールは、次の通りである。
【００１３】
（１）配線部材と、前記配線部材のうちの長手方向の一部を収容可能な貫通収容部が形成された弾性止水部材と、を備え、前記弾性止水部材は、第１分割止水部材と第２分割止水部材とを含み、前記第１分割止水部材と前記第２分割止水部材とは、前記貫通収容部を縦割りするように、前記弾性止水部材を分割した部材であり、前記配線部材のうちの長手方向の一部が前記貫通収容部内に収容された状態で、前記第１分割止水部材と前記第２分割止水部材とが合体した状態に保たれている、配線モジュールである。本開示によると、第１分割止水部材と第２分割止水部材とを分割した状態で、縦割りされた貫通収容部に配線部材のうちの長手方向の一部を収容することができる。この後、第１分割止水部材と第２分割止水部材とを合体することで、弾性止水部材を配線部材に容易に装着できる。
【００１４】
（２）（１）の配線モジュールであって、前記第１分割止水部材及び前記第２分割止水部材の少なくとも１つは、前記貫通収容部が縦割りされた部分として、半円を超える周面部分を含んでもよい。これにより、配線部材に含まれる線状の配線部材等を、当該周面部分に仮保持させた状態で、第１分割止水部材と第２分割止水部材とを容易に合体させることができる。
【００１５】
（３）（１）又は（２）の配線モジュールであって、前記配線部材は、複数の線状配線部材と、前記複数の線状配線部材を覆う被覆部材とを含み、前記被覆部材の端部から前記複数の線状配線部材が延出しており、前記貫通収容部は、前記被覆部材の端部を覆う被覆部材収容凹部と、前記被覆部材収容凹部と連続する複数の貫通部とを含み、前記複数の貫通部は、前記複数の線状配線部材に対応して設けられ、前記弾性止水部材は、前記被覆部材収容凹部から前記複数の貫通部に至る部分を分割するように、前記第１分割止水部材と前記第２分割止水部材とに分割されていてもよい。この場合、第１分割止水部材と第２分割止水部材とが分割された状態で、前記被覆部材収容凹部から前記複数の貫通部に至る部分が分割されている。このため、被覆部材の端部と、複数の線状配線部材のうちの被覆部材寄りの部分とが、被覆部材収容凹部及び複数の貫通部に容易に収容される。
【００１６】
（４）（１）から（３）のいずれか１つの配線モジュールであって、前記配線部材は、線状配線部材と奥側線状配線部材とを含み、前記貫通収容部は、前記線状配線部材のうちの長手方向の一部を収容可能な貫通部と、前記奥側線状配線部材のうちの長手方向の一部を収容可能な奥側貫通部とを含み、前記奥側貫通部が前記第１分割止水部材に設けられるように、前記弾性止水部材が分割されており、前記第１分割止水部材に、前記貫通部から前記奥側貫通部に至るスリットが形成されていてもよい。これにより、第１分割止水部材と第２分割止水部材との分割部分より奥側にある奥側貫通部に、スリットを通じて奥側線状配線部材を配置することができる。
【００１７】
（５）（１）から（４）のいずれか１つの配線モジュールであって、互いに合体可能な第１外装部材と第２外装部材とを含む外装部材をさらに備え、前記第１外装部材と前記第２外装部材とが合体した状態で、前記第１外装部材と前記第２外装部材との間に、前記第１分割止水部材と前記第２分割止水部材とが合体状態で収容されていてもよい。第１外装部材と第２外装部材とを合体させることで、第１分割止水部材と第２分割止水部材とが合体状態に保たれる。
【００１８】
（６）（５）の配線モジュールであって、前記第１外装部材が前記第１分割止水部材の分割面を露出させた状態で前記第１分割止水部材を保持していてもよい。この場合、第１外装部材に保持された第１分割止水部材に配線部材を容易に仮保持することができる。
【００１９】
（７）（６）の配線モジュールであって、前記第２外装部材が前記第２分割止水部材の分割面を露出させた状態で前記第２分割止水部材を保持していてもよい。この場合、第１外装部材と第２外装部材との合体により、第１分割止水部材と第２分割止水部材とを容易に合体させることができる。
【００２０】
（８）（７）の配線モジュールであって、前記第１分割止水部材と前記第１外装部材との一方に第１セット凸部が形成され、他方に前記第１セット凸部を第１姿勢で嵌込可能な第１セット凹部が形成され、前記第２分割止水部材と前記第２外装部材との一方に第２セット凸部が形成され、他方に前記第２セット凸部を第２姿勢で嵌込可能な第２セット凹部が形成されていてもよい。この場合、第１外装部材に対して第１分割止水部材が所定の姿勢でセットされる。また、第２外装部材に対して第２分割止水部材が所定の姿勢でセットされる。このため、第１外装部材と第２外装部材とを正しい姿勢で合体させると、第１分割止水部材と第２分割止水部材とが正しい姿勢で合体する。
【００２１】
また、本開示の弾性止水部材は次の通りである。
【００２２】
（９）配線部材に装着される弾性止水部材であって、前記配線部材のうちの長手方向の一部を収容可能な貫通収容部が形成され、前記貫通収容部を縦割りするように、前記弾性止水部材が分割された第１分割止水部材と第２分割止水部材とを備える、弾性止水部材である。本開示によると、第１分割止水部材と第２分割止水部材とを分割した状態で、縦割りされた貫通収容部に配線部材のうちの長手方向の一部を収容することができる。この後、第１分割止水部材と第２分割止水部材とを合体することで、弾性止水部材を配線部材に容易に装着できる。
【００２３】
（１０）（９）の弾性止水部材であって、前記第１分割止水部材及び前記第２分割止水部材の少なくとも１つは、前記貫通収容部が縦割りされた部分として、半円を超える周面部分を含んでもよい。前記第１分割止水部材及び前記第２分割止水部材の少なくとも１つは、前記貫通収容部が縦割された部分として、半円を超える周面部分を含むため、配線部材に含まれる線状の配線部材を、当該周面部分に仮保持させた状態で、第１分割止水部材と第２分割止水部材とを容易に合体させることができる。
【００２４】
（１１）（９）又は（１０）の弾性止水部材であって、前記貫通収容部は、一方側に開口する被覆部材収容凹部と、前記被覆部材収容凹部の奥側と連続する複数の貫通部とを含み、前記被覆部材収容凹部から前記複数の貫通部に至る部分を分割するように、前記第１分割止水部材と前記第２分割止水部材とに分割されていてもよい。第１分割止水部材と第２分割止水部材とを分割した状態で、前記被覆部材収容凹部から前記複数の貫通部に至る部分が分割されている。このため、被覆部材の端部と、複数の線状配線部材のうちの被覆部材寄りの部分とが、被覆部材収容凹部及び複数の貫通部に容易に収容される。
【００２５】
（１２）（９）から（１１）のいずれか１つの弾性止水部材であって、前記貫通収容部は、前記配線部材における線状配線部材の長手方向の一部を収容可能な貫通部と、前記配線部材における前記線状配線部材とは別の線状配線部材の長手方向の一部を収容可能な奥側貫通部とを含み、前記奥側貫通部が前記第１分割止水部材に設けられるように、前記弾性止水部材が分割されており、前記第１分割止水部材に、前記貫通部から前記奥側貫通部に至るスリットが形成されていてもよい。貫通部から奥側貫通部に至るスリットが形成されている。このため、第１分割止水部材と第２分割止水部材との分割部分より奥側にある奥側貫通部に、奥側線状配線部材を配置することができる。
【００２６】
［本開示の実施形態の詳細］
本開示の配線モジュール及び弾性止水部材の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００２７】
[実施形態]
以下、実施形態に係る配線モジュール及び弾性止水部材について説明する。図１は配線モジュール１０を示す斜視図である。図２及び図３は配線モジュール１０を示す分解斜視図である。図２は第２外装部材６２側からの斜視図であり、図３は第１外装部材５２から見た斜視図である。各図において配線部材２０の一部が示されている。
【００２８】
配線モジュール１０は、配線部材２０と、弾性止水部材３０とを備える。本実施形態では、配線モジュール１０は、さらに外装部材５０を備える。配線部材２０が弾性止水部材３０を貫通する。弾性止水部材３０によって、配線部材２０の周囲を伝った水の侵入が抑制される。弾性止水部材３０が外装部材５０内に収容される。これにより、配線部材２０が弾性止水部材３０を貫通した状態が保たれる。
【００２９】
各部構成について説明する。
【００３０】
配線部材２０は、線状配線部材２２を含む。配線部材２０は、１つの線状配線部材２２を含んでいてもよいし、複数の線状配線部材２２を含んでいてもよい。本実施形態では、配線部材２０が、複数（ここでは２つ）の線状配線部材２２を含む例が説明される。配線部材２０は、さらに、奥側線状配線部材２３を含む。ここでは、配線部材２０は、複数（ここでは２つ）の奥側線状配線部材２３を含む例が説明される。配線部材２０において、線状配線部材２２及び奥側線状配線部材２３が１つずつ設けられてもよい。奥側線状配線部材２３が省略されてもよい。
【００３１】
線状配線部材２２及び奥側線状配線部材２３は、電気を伝送する線状の媒体であり、例えば、芯線と、芯線の周囲を覆う被覆とを備える電線である。本実施形態では、線状配線部材２２及び奥側線状配線部材２３が一般的な電線である例で説明される。線状配線部材及び奥側線状配線部材は、複数の電線をシースで覆ったケーブルであってもよい。線状配線部材及び奥側線状配線部材は、編組等の電磁シールド層を有していてもよい。線状配線部材及び奥側線状配線部材は、内部導体の周囲を外部導体で覆い、その周囲をさらに、シースで覆った同軸ケーブルであってもよい。線状配線部材及び奥側線状配線部材は、信号線であってもよいし、電源線であってもよい。
【００３２】
本実施形態では、複数の線状配線部材２２は、互いに太さが異なる線状配線部材を含む。以下の説明において、説明の便宜上、太い方の線状配線部材２２ａ、細い方の線状配線部材２２ｂとして区別されることがある。複数の奥側線状配線部材２３は、互いに太さが異なる奥側線状配線部材を含む。以下の説明において、説明の便宜上、太い方の奥側線状配線部材２３ａ、細い方の奥側線状配線部材２３ｂとして区別されることがある。なお、太い方の線状配線部材２２ａと太い方の奥側線状配線部材２３ａとは同じ太さである。また、細い方の線状配線部材２２ｂと細い方の奥側線状配線部材２３ｂとは同じ太さである。各線状配線部材及び各奥側線状配線部材の太さは任意である。
【００３３】
配線部材２０は、複数の線状配線部材２２の延在方向の一部を覆う被覆部材２４を含む。被覆部材２４は、さらに、複数の奥側線状配線部材２３の延在方向の一部を覆う。被覆部材２４は、例えば、線状配線部材２２及び奥側線状配線部材２３の周囲に軟化溶融した樹脂を押出被覆等することによって形成されるシースである。被覆部材２４は、線状配線部材２２及び奥側線状配線部材２３における延在方向の一部を部分的に覆うものであればよい。例えば、被覆部材２４は、線状配線部材２２及び奥側線状配線部材２３に対して重なった状態で螺旋巻された粘着テープであってもよい。被覆部材２４は、線状配線部材２２及び奥側線状配線部材２３に外装されたコルゲートチューブ、樹脂チューブ、樹脂シート等であってもよい。線状配線部材２２及び奥側線状配線部材２３のうち被覆部材２４によって覆われた部分は、当該被覆部材２４によって束ねられた状態に保たれている。
【００３４】
被覆部材２４の端部から複数の線状配線部材２２が延出している。被覆部材２４の端部から奥側線状配線部材２３も延出している。本実施形態では、被覆部材２４の端部から２つの線状配線部材２２ａ、２２ｂが延出すると共に、２つの奥側線状配線部材２３ａ、２３ｂが延出している。
【００３５】
図４は弾性止水部材３０を示す平面図である。図５は弾性止水部材３０を示す正面図である。図６は図５のＶＩ−ＶＩ線断面図である。図７は図４のＶＩＩ−ＶＩＩ線断面図である。図８は配線モジュール１０の製造手順の一例を示すための斜視図である。図５では合体前の第１分割止水部材３６及び第２分割止水部材３８の概形が２点鎖線で示される。図６では外装部材５０が２点鎖線で示される。図７では、貫通収容部３２内に収容された配線部材２０の断面が図示され、外装部材５０が２点鎖線で示される。
【００３６】
弾性止水部材３０の全体構成を説明する。図１から図８に示すように、弾性止水部材３０は、シリコーンゴム等の弾性材料によって形成されている。本実施形態では、弾性止水部材３０は、円柱状に形成されている。より具体的には、弾性止水部材３０は、円柱状部分３０ａと、延長部分３０ｂとを含む。円柱状部分３０ａに対して線状配線部材２２及び奥側線状配線部材２３が延出する側の部分に延長部分３０ｂが形成されている。延長部分３０ｂは、円柱状部分３０ａよりも細い。ここでは、円柱状部分３０ａの横断面（その軸に対して直交する面における断面）は円形状に形成される。延長部分３０ｂの横断面は２つの長円形状部分が積重なるように連なった形状に形成されている。延長部分３０ｂの外周面を規定する１つの長円形状部分は、他の１つの長円形状部分よりも大きい。弾性止水部材３０は、その他、楕円柱状、角筒状に形成されていてもよい。弾性止水部材３０に、貫通収容部３２が形成されている（図６参照）。貫通収容部３２は、弾性止水部材３０の軸方向に沿って貫通している。貫通収容部３２は、配線部材２０のうちの長手方向の一部を収容可能に形成されている。
【００３７】
本実施形態では、配線部材２０のうち被覆部材２４の端部２４ａと、線状配線部材２２及び奥側線状配線部材２３のうち被覆部材２４の端部２４ａから延出する部分とが、弾性止水部材３０に収容される。
【００３８】
より具体的には、貫通収容部３２は、被覆部材収容凹部３３と、複数の貫通部３４とを含む。本実施形態では、貫通収容部３２は、複数の奥側貫通部３５を含む。
【００３９】
被覆部材収容凹部３３は、被覆部材２４の端部２４ａを覆う形状に形成されている。より具体的には、被覆部材収容凹部３３は、弾性止水部材３０の軸方向一端部から凹む円柱状の空間に形成されている。被覆部材収容凹部３３の内周部には、内周側に向けて突出する環状突部３３ｐが形成されている（図６参照）。環状突部３３ｐは、リップと呼ばれることもある部分である。環状突部３３ｐの内径は、被覆部材２４の外径よりも小さく形成されている。ここで、環状突部３３ｐは、被覆部材収容凹部３３の軸方向に分散するように複数（３つ）形成されている。
【００４０】
配線部材２０のうち被覆部材２４の端部２４ａの部分が被覆部材収容凹部３３内に収容されると、環状突部３３ｐの先端部が、弾性変形しつつ当該端部２４ａの周囲に密着する。これにより、被覆部材２４の外周を水が伝うことが抑制される。
【００４１】
複数の貫通部３４は、被覆部材収容凹部３３と連続して設けられた貫通孔である。ここでは、複数の貫通部３４は、被覆部材収容凹部３３の底から弾性止水部材３０の他端部に向けて貫通する孔である。複数の貫通部３４は、複数の線状配線部材２２に対応して設けられる。ここでは、複数の貫通部３４は、２つの線状配線部材２２に対応して並列状態で２つ設けられる。以下の説明において、太い方の線状配線部材２２ａに対応するものを貫通部３４ａ、細い方の線状配線部材２２ｂに対応するものを貫通部３４ｂとして符号によって区別する場合がある。貫通部３４ａは、貫通部３４ｂよりも大きい。
【００４２】
貫通部３４ａの内周部には、内周側に向けて突出する環状突部３４ａｐが形成されている（図６参照）。環状突部３４ａｐは、リップと呼ばれることもある部分である。環状突部３４ａｐの内径は、線状配線部材２２ａの外径よりも小さく形成されている。ここで、環状突部３４ａｐは、貫通部３４ａの軸方向に分散するように複数形成されている。線状配線部材２２ａのうち被覆部材２４側の部分が貫通部３４ａ内に収容されると、環状突部３４ａｐの先端部が弾性変形した状態で当該線状配線部材２２ａの周囲に密着する。これにより、線状配線部材２２ａの外周を水が伝うことが抑制される。
【００４３】
同様に、貫通部３４ｂの内周部には、内周側に向けて突出する環状突部３４ｂｐが形成されている（図６参照）。環状突部３４ｂｐは、リップと呼ばれることもある部分である。環状突部３４ｂｐの内径は、線状配線部材２２ｂの外径よりも小さく形成されている。ここで、環状突部３４ｂｐは、貫通部３４ｂの軸方向に分散するように複数形成されている。線状配線部材２２ｂのうち被覆部材２４側の部分が貫通部３４ｂ内に収容されると、環状突部３４ｂｐの先端部が弾性変形した状態で、当該線状配線部材２２ｂの周囲に密着する。これにより、線状配線部材２２ｂの外周を水が伝うことが抑制される。
【００４４】
奥側貫通部３５は、被覆部材収容凹部３３と連続して設けられた貫通孔である。ここでは、複数（２つ）の奥側貫通部３５は、被覆部材収容凹部３３の底から弾性止水部材３０の他端部に向けて貫通する孔である。複数の奥側貫通部３５は、複数の奥側線状配線部材２３に対応して設けられる。ここでは、複数の奥側貫通部３５は、２つの奥側線状配線部材２３に対応して２つ並列状に設けられる。以下の説明において、太い方の奥側線状配線部材２３ａに対応するものを奥側貫通部３５ａ、細い方の奥側線状配線部材２３ｂに対応するものを奥側貫通部３５ｂという場合がある。奥側貫通部３５ａは、奥側貫通部３５ｂよりも大きい。
【００４５】
奥側貫通部３５ａは、上記貫通部３４ａと同様形状である。奥側貫通部３５ｂは、上記貫通部３４ｂと同様形状である。太い方の奥側貫通部３５ａは、同じく太い方の貫通部３４ａの隣に設けられる。細い方の奥側貫通部３５ｂは、同じく細い方の貫通部３４ｂの隣に設けられる。このため、太い方の貫通部３４ａ及び太い方の奥側貫通部３５ａが弾性止水部材３０の一側に偏って設けられ、細い方の貫通部３４ｂ及び細い方の奥側貫通部３５ｂが弾性止水部材３０の他側に偏って設けられる。
【００４６】
被覆部材２４の端部２４ａが被覆部材収容凹部３３に収容された状態で、太い方の線状配線部材２２ａ及び太い方の奥側線状配線部材２３ａが上記貫通部３４ａ及び奥側貫通部３５ａに貫通した状態で収容される。また、細い方の線状配線部材２２ｂ及び細い方の奥側線状配線部材２３ｂが貫通部３４ｂ及び奥側貫通部３５ｂに貫通した状態で収容される。この状態で、被覆部材２４の端部２４ａ、線状配線部材２２及び奥側線状配線部材２３のうち被覆部材２４寄りの部分が弾性止水部材３０によって止水される。このため、配線部材２０を伝った水の侵入が抑制される。また、被覆部材２４の端部２４ａの開口は、被覆部材２４の端部２４ａの止水箇所（特に被覆部材収容凹部３３による止水箇所）と、線状配線部材２２及び奥側線状配線部材２３のうち被覆部材２４寄りの部分の止水箇所（特に、貫通部３４ａ、３４ｂ及び奥側貫通部３５ａ、３５ｂ等による止水箇所）とに対して内側に位置する。このため、被覆部材２４の端部２４ａの開口からの水の侵入も抑制される。
【００４７】
上記弾性止水部材３０は、第１分割止水部材３６と、第２分割止水部材３８とを含む。第１分割止水部材３６と第２分割止水部材３８とは、貫通収容部３２を縦割りするように、弾性止水部材３０を分割した部材である。ここで、貫通収容部３２を縦割りするようにとは、貫通収容部３２を形成する周面がその一端側開口から他端側開口に向うラインに沿って分割されることをいう。貫通収容部３２を形成する周面を分割するラインは、直線であってもよいし、途中で曲っていてもよい。
【００４８】
ここでは、弾性止水部材３０は、被覆部材収容凹部３３から複数の貫通部３４ａ、３４ｂに至る部分を分割するように、第１分割止水部材３６と第２分割止水部材３８とに分割されている。また、奥側貫通部３５ａ、３５ｂが第１分割止水部材３６側に設けられるように、弾性止水部材３０が分割されている。より具体的には、第１分割止水部材３６と第２分割止水部材３８とを分断する分割面（境界面）４５は、中央分断面４６と外周部分断面４７とを含む（図５、図７等参照）。中央分断面４６は、弾性止水部材３０のうち中央寄りの部分を分断する。外周部分断面４７は、中央分断面４６の両側外側に連なり、弾性止水部材３０のうち外周寄りの部分を分断する。
【００４９】
中央分断面４６は、貫通収容部３２を縦割りするように、弾性止水部材３０の中央寄りの部分を分断している。より具体的には、中央分断面４６は、第１中央分断面４６ａと第２中央分断面４６ｂとを含む（図８参照）。
【００５０】
第１中央分断面４６ａは、弾性止水部材３０のうち被覆部材収容凹部３３が形成された部分を分断する。ここでは、第１中央分断面４６ａは、被覆部材収容凹部３３をその軸方向に沿った面で２等分する面から偏った位置に設定される。ここでは、第１中央分断面４６ａは、被覆部材収容凹部３３の中心軸よりも奥側貫通部３５ａ、３５ｂから離れる位置に沿って設定されている。これにより、第１分割止水部材３６に、貫通収容部３２のうちの被覆部材収容凹部３３が縦割りされた部分として、半円を越える周面部分３３ｆが形成される（図８参照）。なお、第１中央分断面４６ａが上記とは反対側に偏っており、第２分割止水部材３８に、半円を越える周面部分が形成されていてもよい。
【００５１】
第２中央分断面４６ｂは、弾性止水部材３０のうち貫通部３４ａ、３４ｂが形成された部分を分断する。ここでは、第２中央分断面４６ｂは、並列状に延びる貫通部３４ａ、３４ｂの一方から他方に至るように形成される。第２中央分断面４６ｂは、貫通部３４ａ、３４ｂをそれぞれの軸方向に沿った面で２等分する面から偏った位置に設定される。ここでは、第２中央分断面４６ｂは、貫通部３４ａ、３４ｂの中心軸よりも奥側貫通部３５ａ、３５ｂから離れる位置に沿って設定されている。これにより、第１分割止水部材３６に、貫通収容部３２のうちの貫通部３４ａ、３４ｂが縦割りされた部分として、半円を越える周面部分３４ａｆ、３４ｂｆが形成される（図５及び図８参照）。周面部分３４ａｆ、３４ｂｆは、上記周面部分３３ｆに連続しつつ分岐するように形成される。
【００５２】
中央分断面４６は、弾性止水部材３０の中心軸に対して奥側貫通部３５ａとは反対側に偏って設定される。これに対し、外周部分断面４７は、弾性止水部材３０の中心軸に沿って弾性止水部材３０を２等分するような面に沿って設定される。このため、第１分割止水部材３６には、その幅方向中央で突出する突部３６ａが形成され（図５参照）、第２分割止水部材３８には、その幅方向中央で凹む凹部３８ａが形成される。突部３６ａは、突出方向に向けて徐々に幅狭になり、凹部３８ａは奥側に向けて徐々に幅狭になる形状に形成される。第１分割止水部材３６と第２分割止水部材３８とが合体する際、突部３６ａが凹部３８ａにガイドされつつ嵌り込んで、第１分割止水部材３６と第２分割止水部材３８との位置ずれが抑制される。
【００５３】
第１分割止水部材３６において、貫通部３４ａ、３４ｂの一部である周面部分３４ａｆ、３４ｂｆよりも奥側に、奥側貫通部３５ａ、３５ｂが設けられる。この第１分割止水部材３６に、周面部分３４ａｆ、３４ｂｆから奥側貫通部３５ａ、３５ｂに至るスリット３９ａ、３９ｂが形成されている。ここでは、貫通部３４ａの一部である周面部分３４ａｆから奥側貫通部３５ａに向いかつ弾性止水部材３０の軸方向と平行な方向に沿うスリット３９ａが形成されている。また、貫通部３４ｂの一部である周面部分３４ｂｆから奥側貫通部３５ｂに向いかつ弾性止水部材３０の軸方向と平行な方向に沿うスリット３９ｂが形成されている。
【００５４】
そして、第１分割止水部材３６に対して第２分割止水部材３８が合体する前の状態で、被覆部材２４の端部２４ａが第１分割止水部材３６のうち被覆部材収容凹部３３の一部である周面部分３３ｆ内に収容される。周面部分３３ｆは分割面４５側に開口しているので、当該開口を通じて被覆部材２４の端部２４ａが周面部分３３ｆ内に容易に押込まれる。周面部分３３ｆは、半円を越える形状に形成されているため、その分割面４５側の開口幅は、被覆部材２４の直径よりも小さい。このため、被覆部材２４の端部２４ａが周面部分３３ｆ内に収容された状態で、被覆部材２４の端部２４ａが周面部分３３ｆから脱し難い。
【００５５】
また、太い方の奥側線状配線部材２３ａが、貫通部３４ａの一部である周面部分３４ａｆからスリット３９ａを介して奥側貫通部３５ａ内に収容される。同様に、細い方の奥側線状配線部材２３ｂが、貫通部３４ｂの一部である周面部分３４ｂｆからスリット３９ｂを介して奥側貫通部３５ｂ内に収容される。
【００５６】
また、太い方の線状配線部材２２ａが、貫通部３４ａの１部である周面部分３４ａｆ内に収容される。周面部分３４ａｆは分割面４５側に開口しているので、当該開口を通じて太い方の線状配線部材２２ａが周面部分３４ａｆ内に容易に押込まれる。周面部分３４ａｆは、半円を越える形状に形成されているため、その分割面４５側の開口幅は、太い方の線状配線部材２２ａの直径よりも小さい。このため、太い方の線状配線部材２２ａが周面部分３４ａｆ内に収容された状態で、太い方の線状配線部材２２ａが周面部分３４ａｆから脱し難い。
【００５７】
同様に、細い方の線状配線部材２２ｂが、貫通部３４ｂの１部である周面部分３４ｂｆ内に収容される。周面部分３４ｂｆは分割面４５側に開口しているので、当該開口を通じて細い方の線状配線部材２２ｂが周面部分３４ｂｆ内に容易に押込まれる。周面部分３４ｂｆは、半円を越える形状に形成されているため、その分割面４５側の開口幅は、細い方の線状配線部材２２ｂの直径よりも小さい。このため、細い方の線状配線部材２２ｂが周面部分３４ｂｆ内に収容された状態で、細い方の線状配線部材２２ｂが周面部分３４ｂｆから脱し難い。
【００５８】
弾性止水部材３０の外周部に、第１外側環状突部４２と、第２外側環状突部４３とが形成されている。第１外側環状突部４２は、弾性止水部材３０の外周部のうち被覆部材収容凹部３３の外側部分に形成される。弾性止水部材３０の軸方向において、第１外側環状突部４２と環状突部３３ｐとは少なくとも部分的に重複して設けられることが好ましい。第１外側環状突部４２は、弾性止水部材３０のうち円柱状部分３０ａの外周側部分にその周方向に沿って突出する環状形状に形成される。ここでは、第１外側環状突部４２は複数形成されている。第２外側環状突部４３は、弾性止水部材３０の外周部のうち貫通部３４ａ、３４ｂ及び奥側貫通部３５ａ、３５ｂの外周側部分に形成される。弾性止水部材３０の軸方向において、第２外側環状突部４３と環状突部３４ａｐ、３４ｂｐとは少なくとも部分的に重複して設けられることが好ましい。第２外側環状突部４３は、弾性止水部材３０のうち円柱状部分３０ａの外周部にその周方向に沿って突出する環状形状に形成される。ここでは、第２外側環状突部４３が複数形成されている。
【００５９】
第１分割止水部材３６に第１セット凸部４８が形成されている。第１セット凸部４８は、第１分割止水部材３６のうち分割面４５とは反対側の部分に突設されている。第１セット凸部４８は、基部４８ａと、頭部４８ｂとを含む。基部４８ａは、第１分割止水部材３６の外周部から突出している。頭部４８ｂは、基部４８ａの先端部から基部４８ａの外周側に突出している。頭部４８ｂは、円ではない形状、例えば、長円形状に形成される。この頭部４８ｂは、外装部材５０における第１セット凹部５７に嵌め込まれる。
【００６０】
第２分割止水部材３８に第２セット凸部４９が形成されている。第２セット凸部４９は、第２分割止水部材３８のうち分割面４５とは反対側の部分に突設されている。第２セット凸部４９は、基部４９ａと、頭部４９ｂとを含む。基部４９ａは、第２分割止水部材３８の外周部から突出している。頭部４９ｂは、基部４９ａの先端部から基部４９ａの外周側に突出している。この頭部４９ｂは、外装部材５０における第２セット凹部６７に嵌め込まれる。ここでは、第１セット凸部４８と第２セット凸部４９とは同じ形状である。第１セット凸部４８と第２セット凸部４９とは異なる形状であってもよい。
【００６１】
上記のように配線部材２０のうちの長手方向の一部が第１分割止水部材３６における奥側貫通部３５ａ、３５ｂ、貫通部３４ａ、３４ｂの周面部分３４ａｆ、３４ｂｆ及び被覆部材収容凹部３３の周面部分３３ｆに収容された状態で、第１分割止水部材３６と第２分割止水部材３８とが合体する。このように、配線部材２０のうちの長手方向の一部が貫通収容部３２内に収容された状態で、第１分割止水部材３６と第２分割止水部材３８とが合体状態に保たれる。本実施形態では、外装部材５０によって合体状態が保たれる。
【００６２】
外装部材５０は、弾性止水部材３０の周りを覆って、第１分割止水部材３６と第２分割止水部材３８とを合体状態に保つ役割を果すことができる部材である。本実施形態では、外装部材５０は、互いに合体可能な第１外装部材５２と、第２外装部材６２とを含む。第１外装部材５２と第２外装部材６２とが合体した状態で、それらの間に弾性止水部材３０が収容される。第１外装部材５２と第２外装部材６２とを合体状態に保とうとする力が、弾性止水部材３０を圧縮し、これにより、第１分割止水部材３６と第２分割止水部材３８とが合体状態に保たれる。
【００６３】
より具体的には、第１外装部材５２と第２外装部材６２とは、それぞれ樹脂等によって形成された部材である。
【００６４】
第１外装部材５２は、底板部５３と、一対の側壁部５４とを含む。底板部５３は、方形板状に形成されている。底板部５３の両側部に一対の側壁部５４が立設されている。側壁部５４の外面に合体用突部５４ｐが形成されている。合体用突部５４ｐは、側壁部５４の先端側に向けて徐々に突出寸法が小さくなる形状に形成されている。合体用突部５４ｐの両側方外側にガイド突部５４ｑが形成されている。ガイド突部５４ｑは、側壁部５４の基端側から先端側に向う細長い突部形状に形成されている。
【００６５】
底板部５３の長手方向中間部に、半円周面状の止水部材分割保持面５５ｆが形成されている。止水部材分割保持面５５ｆ内に、第１分割止水部材３６のうち円柱状部分３０ａに対応する部分が収容される。
【００６６】
止水部材分割保持面５５ｆの一端部に第１位置決め部５５ａが設けられる。第１位置決め部５５ａは、止水部材分割保持面５５ｆの内周面よりも内側に突出するＵ字状に形成される。第１位置決め部５５ａ内には、被覆部材２４を配置可能な凹部が形成されている。底板部５３の一端部に、被覆部材２４を収容可能な半筒状保持部５６ａが形成されている。半筒状保持部５６ａは、第１位置決め部５５ａの外側に位置している。半筒状保持部５６ａの内周面には、その周方向に沿った突部が形成されている。弾性止水部材３０（又は第１分割止水部材３６）から延出する配線部材２０のうち被覆部材２４の部分が、第１位置決め部５５ａを通って半筒状保持部５６ａ内に保持される。
【００６７】
止水部材分割保持面５５ｆの他端部に第２位置決め部５５ｂが設けられる。第２位置決め部５５ｂは、止水部材分割保持面５５ｆの内周面よりも内側に突出するＵ字状に形成される。第２位置決め部５５ｂ内には、第１分割止水部材３６のうち延長部分３０ｂに対応する部分を配置可能な凹部が形成されている。底板部５３のうち第２位置決め部５５ｂの外側部分に、第２位置決め部５５ｂの幅方向中間の位置を通る仕切部５５ｃが突設される。弾性止水部材３０（又は第１分割止水部材３６）から延出する線状配線部材２２及び奥側線状配線部材２３のうち太い方の線状配線部材２２ａ及び太い方の奥側線状配線部材２３ａと、細い方の線状配線部材２２ｂ及び細い方の奥側線状配線部材２３ｂとが、仕切部５５ｃによって仕切られつつ外方に延出する。
【００６８】
底板部５３のうち止水部材分割保持面５５ｆに、第１セット凹部５７が形成されている。第１セット凹部５７は、上記第１セット凸部４８を嵌込可能な形状に形成されている。ここでは、第１セット凹部５７は、第１セット凸部４８に応じた長円形状に形成されている。第１セット凹部５７は、止水部材分割保持面５５ｆから見て凹んでいればよく、有底の穴であってもよいし、貫通する孔であってもよい。ここでは、第１セット凹部５７は、止水部材分割保持面５５ｆから外側に向けて貫通する孔である。第１分割止水部材３６が第１外装部材５２から容易に外れてしまわないように、第１セット凸部４８は第１セット凹部５７に対して圧入される構成であることが好ましい。
【００６９】
第１分割止水部材３６は、その第１セット凸部４８が第１セット凹部５７に嵌め込まれた状態で、上記止水部材分割保持面５５ｆにセットされる。この状態では、第１分割止水部材３６のうち円柱状部分３０ａに対応する半円柱状部分が止水部材分割保持面５５ｆに内に収容される。この状態で、第１分割止水部材３６の一端面が第１位置決め部５５ａに接触した状態になる。また、第１分割止水部材３６のうちの延長部分３０ｂに対応する部分が第２位置決め部５５ｂ内に収容され、第１分割止水部材３６のうち円柱状部分３０ａと延長部分３０ｂとの境界に対応する部分の外向き段部が、第２位置決め部５５ｂに接触した状態となる。これにより、第１外装部材５２に対して第１分割止水部材３６がその軸方向において位置決めされる。分割面４５は、第１分割止水部材３６のうち第１セット凸部４８とは反対側の部分に形成されている。このため、第１分割止水部材３６のうち分割面４５は、底板部５３とは反対側で外部に露出した状態とされる。このようにして、第１外装部材５２は、分割面４５を露出させた状態で、第１分割止水部材３６を保持することができる。
【００７０】
第２外装部材６２は、天井板部６３と、一対の側壁部６４とを含む。天井板部６３は、上記底板部５３と同様の方形板状に形成されている。天井板部６３の両側部から一対の側壁部６４が突出している。側壁部６４の外面に合体用凹部６４ｐａが形成されている。ここでは、側壁部６４の外面からその先端側に向けて合体用延長片６４ｐが形成されている。合体用延長片６４ｐの先端部に、上記合体用突部５４ｐを配置可能な合体用凹部６４ｐａが形成されている。第１外装部材５２上に第２外装部材６２が重ねられた状態で、一対の側壁部５４の先端縁と一対の側壁部６４の先端縁とが対向配置される。なお、一対の側壁部６４の先端部の重なり片が、一対の側壁部５４の先端縁の外側に被さる。この状態で、合体用延長片６４ｐの先端部が合体用突部５４ｐを乗越えて、合体用突部５４ｐが合体用凹部６４ｐａ内に入り込んだ状態となる。これにより、合体用突部５４ｐが合体用凹部６４ｐａに抜け止状態に引っ掛かり、第１外装部材５２と第２外装部材６２との合体状態が維持される。
【００７１】
天井板部６３の長手方向中間部に、半円周面状の止水部材分割保持面６５ｆが形成されている。止水部材分割保持面６５ｆ内に、第２分割止水部材３８のうち円柱状部分３０ａに対応する部分が収容される。上記止水部材分割保持面５５ｆと止水部材分割保持面６５ｆとで形成される円柱状空間内に、弾性止水部材３０の円柱状部分３０ａが収容される。
【００７２】
第１外装部材５２と第２外装部材６２との合体状態で、止水部材分割保持面５５ｆの奥部分と止水部材分割保持面６５ｆの奥部分との距離は、円柱状部分３０ａにおける第１外側環状突部４２及び第２外側環状突部４３の直径よりも小さい。また、止水部材分割保持面５５ｆ、６５ｆの曲率半径は、円柱状部分３０ａにおける第１外側環状突部４２及び第２外側環状突部４３の半径よりも小さい。このため、第１外側環状突部４２と第２外装部材６２とが合体した状態で、円柱状部分３０ａのうち第１外側環状突部４２及び第２外側環状突部４３に収縮力が作用する。この収縮力は、第１分割止水部材３６及び第２分割止水部材３８を合体方向に締付ける力として、弾性止水部材３０に作用する。
【００７３】
止水部材分割保持面６５ｆの一端部に第１位置決め部６５ａが設けられる。第１位置決め部６５ａは、止水部材分割保持面６５ｆの内周面よりも内側に突出する弧状に形成される。第１位置決め部６５ａが第２分割止水部材３８の一端面の環状領域に接触して、第２分割止水部材３８の位置決めを行う。天井板部６３の一端部に、半筒状保持部５６ａと同様構成の半筒状保持部６６ａが形成されている。第１外装部材５２と第２外装部材６２とが合体した状態で、半筒状保持部５６ａ、６６ａが被覆部材２４を挟込んで保持する。
【００７４】
止水部材分割保持面６５ｆの他端部に仕切壁部６５ｂが設けられる。仕切壁部６５ｂには、上記第２位置決め部５５ｂ及び延長部分３０ｂを配置可能な凹部が形成されている。第１外装部材５２と第２外装部材６２とが合体した状態で、第２位置決め部５５ｂ及び延長部分３０ｂが仕切壁部６５ｂの凹部内に配置される。この状態で、仕切壁部６５ｂが外装部材５０の内外空間を仕切る。仕切壁部６５ｂは、止水部材分割保持面６５ｆから突出している。
【００７５】
天井板部６３のうち止水部材分割保持面６５ｆに、第２セット凹部６７が形成されている。第１セット凸部４８に対する第１セット凹部５７の関係と同様に、第２セット凹部６７は、上記第２セット凸部４９を嵌込可能な形状に形成されている。
【００７６】
第２分割止水部材３８は、その第２セット凸部４９が第２セット凹部６７に嵌め込まれた状態で、上記止水部材分割保持面６５ｆにセットされる。この状態では、第２分割止水部材３８のうち円柱状部分３０ａに対応する半円柱状部分が止水部材分割保持面６５ｆに内に収容される。この状態で、第２分割止水部材３８の一端面が第１位置決め部６５ａに接触した状態になる。また、第２分割止水部材３８のうちの延長部分３０ｂに対応する部分が仕切壁部６５ｂに収容され、第２分割止水部材３８のうち円柱状部分３０ａと延長部分３０ｂとの境界に対応する部分の外向き段部が、仕切壁部６５ｂに接触した状態となる。これにより、第２外装部材６２に対して第２分割止水部材３８がその軸方向において位置決めされる。分割面４５は、第２分割止水部材３８のうち第２セット凸部４９とは反対側の部分に形成されている。このため、第２分割止水部材３８のうち分割面４５は、天井板部６３とは反対側で外部に露出した状態とされる。このようにして、第２外装部材６２は、分割面４５を露出させた状態で、第２分割止水部材３８を保持することができる。
【００７７】
このように構成された配線モジュール１０の製造方法例について説明する。
【００７８】
被覆部材２４の端部から線状配線部材２２及び奥側線状配線部材２３が延出した配線部材２０を準備する。
【００７９】
第１セット凸部４８を第１セット凹部５７に嵌め込むようにして、第１分割止水部材３６を第１外装部材５２にセットする。この状態では、図８に示すように、第１分割止水部材３６のうち分割面４５が底板部５３に対して反対側を向いている。このため、分割面４５における貫通収容部３２のスリット状開口が底板部５３とは反対側に露出している。
【００８０】
上記状態で、被覆部材２４の端部２４ａが周面部分３３ｆに押込まれて、当該周面部分３３ｆに収容される（図８の矢符Ｐ１参照）。また、奥側線状配線部材２３ａ、２３ｂが、周面部分３４ａｆ、３４ｂｆに押込まれ（図８の矢符Ｐ２、Ｐ３参照）、その奥のスリット３９ａ、３９ｂを経て、奥側貫通部３５ａ、３５ｂ内に収容される。この後、線状配線部材２２ａ、２２ｂが、周面部分３４ａｆ、３４ｂｆに押込まれ、当該周面部分３４ａｆ、３４ｂｆ内に収容される。これにより、配線部材２０の一部が貫通収容部３２のうち第１分割止水部材３６に形成された部分に収容された状態となる。この状態で、周面部分３３ｆ、３４ａｆ、３４ｂｆは、半円を越える形状に形成されているため、配線部材２０が第１分割止水部材３６から脱し難い。
【００８１】
上記とは別に、第２セット凸部４９を第２セット凹部６７に嵌め込むようにして、第２分割止水部材３８を第２外装部材６２にセットする。この状態では、第２分割止水部材３８のうち分割面４５が天井板部６３に対して反対側を向いている。
【００８２】
この後、第１外装部材５２及び第１分割止水部材３６上に、第２外装部材６２及び第２分割止水部材３８が被せられ（図８の矢符Ｐ４参照）、合体用突部５４ｐが合体用凹部６４ｐａに抜け止状態に引っ掛った状態とされる。これにより、第１外装部材５２と第２外装部材６２とが合体状態に保たれる。すると、止水部材分割保持面５５ｆ、６５ｆ内に円柱状部分３０ａが圧縮され、第１分割止水部材３６と第２分割止水部材３８とが合体した状態に保たれる。
【００８３】
このように構成された配線モジュール１０は、例えば、ＡＢＳ（アンチロックブレーキシステム）用の配線等、車両における足回りの用配線として用いられ得る。かかる配線では、車体外において、被水する環境下で用いられる可能性があるため、上記のように止水性を高めることが有効である。
【００８４】
以上のように構成された配線モジュール１０及び弾性止水部材３０によると、第１分割止水部材３６と第２分割止水部材３８とが分割した状態で、縦割りするように分割された貫通収容部３２に配線部材２０のうちの長手方向の一部を収容することができる。この後、第１分割止水部材３６と第２分割止水部材３８とが合体することで、弾性止水部材３０が配線部材２０に容易に装着される。このため、配線部材を貫通孔にその軸方向に沿って挿入する作業等が不要となり、弾性止水部材３０が配線部材２０に容易に装着される。
【００８５】
また、第１分割止水部材３６及び第２分割止水部材３８の少なくとも一方は、貫通収容部３２が縦割された部分として、半円を越える周面部分３３ｆ、３４ａｆ、３４ｂｆを含む。このため、配線部材２０に含まれる被覆部材２４の端部２４ａ、線状配線部材２２ａ、２２ｂ等が周面部分３３ｆ、３４ａｆ、３４ｂｆに容易に仮保持される。この状態で、第１分割止水部材３６と第２分割止水部材３８との合体作業を行うことができる。このため、合体作業途中に、配線部材２０が第１分割止水部材３６又は第２分割止水部材３８から外れ難くなり、合体作業が容易に行われる。なお、第１分割止水部材及び第２分割止水部材の両方に、別々の貫通部に関して半円を越える周面部分が形成されていてもよい。
【００８６】
また、弾性止水部材３０には被覆部材収容凹部３３と複数の貫通部３４ａ、３４ｂとが形成されている。弾性止水部材３０は、被覆部材収容凹部３３から複数の貫通部３４ａ、３４ｂに至る部分を分割するように、第１分割止水部材３６と第２分割止水部材３８とに分割されている。このため、被覆部材２４から複数の線状配線部材２２ａ、２２ｂが延出する構成においても、第１分割止水部材３６と第２分割止水部材３８との分割構造を利用して、被覆部材２４の端部２４ａを被覆部材収容凹部３３内に収容し、線状配線部材２２ａ、２２ｂを貫通部３４ａ、３４ｂに収容することができる。これにより、被覆部材２４の端部２４ａ及び複数の線状配線部材２２ａ、２２ｂのそれぞれについて、個別に止水が可能となる。この場合、被覆部材２４の端部２４ａの開口を通じた水の侵入が有効に抑制される。
【００８７】
また、貫通部３４ａ、３４ｂから奥側貫通部３５ａ、３５ｂに至るスリット３９ａ、３９ｂが形成されている。このため、分割面４５よりも奥側にある奥側貫通部３５ａ、３５ｂに、奥側線状配線部材２３ａ、２３ｂを配置することができる。これにより、多数の貫通部の全てを通過するように分割面を形成しなくても、多数の線状の配線部材２２ａ、２２ｂ、２３ａ、２３ｂを個別に止水することができる。また、奥側貫通部３５ａ、３５ｂについては、直接弾性止水部材３０の外部に至るスリットが形成されないため、止水性を高めることができる。
【００８８】
また、弾性止水部材３０を第１外装部材５２と第２外装部材６２との間に収容してそれらを合体すれば、第１分割止水部材３６と第２分割止水部材３８とが合体状態に保たれるので、配線モジュール１０の製造が容易となる。
【００８９】
また、第１分割止水部材３６は分割面４５を露出させた状態で第１外装部材５２にセットされるので、当該第１外装部材５２に保持された第１分割止水部材３６に配線部材２０を容易に仮保持することができる。すなわち、次に述べる複数の要因のうちの少なくとも１つによって第１分割止水部材３６を掴み難いことが考えられる。例えば、第１分割止水部材３６が掴み難いほどに小さい場合である。また、第１分割止水部材３６がシリコーンゴム等の滑りやすい材料で形成されている場合である。このような場合において第１分割止水部材３６を第１外装部材５２と共に掴んだ状態で、配線部材２０の長手方向の一部を、周面部分３３ｆ、３４ａｆ、３４ｂｆに押込んで第１分割止水部材３６に仮保持することができる。これにより、弾性止水部材３０が配線部材２０に容易に装着される。
【００９０】
また、第２分割止水部材３８が第２外装部材６２にセットされれば、第１外装部材５２と第２外装部材６２との合体によって、第１分割止水部材３６と第２分割止水部材３８とを容易に合体させることができる。
【００９１】
[変形例]
図９は第１変形例に係る弾性止水部材１３０を示す斜視図である。図１０は弾性止水部材１３０を示す底面図である。図１０において第１外装部材１５２の概形が２点鎖線で示される。
【００９２】
この弾性止水部材１３０が弾性止水部材３０と異なる点は、第１セット凸部４８に代えて第１セット凸部１４８を備え、第２セット凸部４９に代えて、第２セット凸部１４９を備える点である。
【００９３】
第１セット凸部１４８は、基部１４８ａと、頭部１４８ｂとを含む。基部１４８ａは、弾性止水部材１３０において第１分割止水部材３６に対応する第１分割止水部材１３６の外周部から突出している。頭部１４８ｂは、基部１４８ａの先端部から基部１４８ａの外周側に突出している。頭部１４８ｂは、弾性止水部材１３０の外側から観察して回転対称性を有しない形状に形成される。ここでは、頭部１４８ｂは、弾性止水部材１３０の外側から観察して、縦棒部分の一端部に横棒部分が連なるＴ字状をなすように形成されている。縦棒部分は弾性止水部材３０の軸方向と平行に延びている。横棒部分は、縦棒部分に対して貫通部３４ａ、３４ｂ寄りの端部から弾性止水部材３０の幅方向（弾性止水部材１３０の軸方向と、第１セット凸部１４８と第２セット凸部１４９とを結ぶ方向との両方に対して直交する方向）に延びている。
【００９４】
第１外装部材５２に対応する第１外装部材１５２には、第１セット凹部５７に代えて第１セット凹部１５７が形成される。第１セット凹部１５７は、第１セット凸部１４８を１つの第１姿勢でのみ嵌込可能な形状に形成されている。ここでは、第１セット凹部１５７は、上記第１セット凸部１４８と同様に縦長凹部分の一端部に横長凹部分が連なるＴ字状をなすように形成されている。縦長凹部分は第１外装部材１５２における縦軸方向（半筒状保持部５６ａの軸方向、図２参照）と平行に延びる。横長凹部分は、縦長凹部分に対して第１位置決め部５５ａ（図２参照）寄りの端部から、第１外装部材１５２における幅方向（半筒状保持部５６ａの幅方向）と平行に延びる。第１セット凹部１５７は、上記第１セット凸部１４８と同形状及び同じ大きさに形成されていてもよいし、第１セット凸部１４８を圧入可能な範囲で第１セット凸部１４８よりも小さい形状に形成されていてもよい。
【００９５】
第２セット凸部１４９も、上記第１セット凸部１４８と同様に、弾性止水部材１３０において第２分割止水部材３８に対応する第２分割止水部材１３８の外周部から突出している。第２セット凸部１４９は、基部１４８ａに対応する基部１４９ａ及び頭部１４８ｂに対応する頭部１４９ｂを有する形状に形成される。また、第２外装部材６２には、第２セット凹部６７に代えて第２セット凹部１６７が形成される。頭部１４９ｂは上記頭部１４８ｂと同様形状に形成され、第２セット凹部１６７も上記第１セット凹部１５７と同様形状に形成される。このため、第２セット凸部１４９も、第２セット凹部１６７に対して所定の第２姿勢でのみ嵌込される。
【００９６】
本変形例によると、第１セット凸部１４８は第１セット凹部１５７に対して所定の第１姿勢でのみ嵌込可能であるため、第１分割止水部材１３６は第１外装部材１５２に対して所定の正規姿勢でのみセットされる。同様に、第２セット凸部１４９は第２セット凹部１６７に対して所定の第２姿勢でのみ嵌込可能であるため、第２分割止水部材１３８は第２外装部材１６２に対して所定の正規姿勢でのみセットされる。このため、第１外装部材１５２及び第２外装部材１６２の外形状を確認しながら、第１外装部材１５２と第２外装部材１６２とを正しい姿勢で合体させれば、それらの内部の第１分割止水部材１３６及び第２分割止水部材１３８も互いに正しい姿勢で合体される。
【００９７】
これにより、第１外装部材１５２と第２外装部材１６２との内部で隠れ直接的に視認困難な第１分割止水部材１３６及び第２分割止水部材１３８についても、正しい姿勢で合体することが担保され、第１分割止水部材１３６及び第２分割止水部材１３８による止水性が担保される。
【００９８】
第１セット凸部１４８と第１セット凹部１５７の形状、及び、第２セット凸部１４９と第２セット凹部１６７の形状は、上記例に限られない。例えば、図１１に示す第２変形例に係る弾性止水部材２３０のように、第１セット凸部２４８における頭部２４８ｂが矢印形状であってもよい。ここでは、頭部２４８ｂは、長方形状部分の一端部に三角形状部分が連なる形状に形成されている。第２セット凸部２４９も、第１セット凸部２４８と同様形状に形成される。この場合、第１セット凸部２４８が嵌込される第１セット凹部及び第２セット凸部２４９が嵌込される第２セット凹部は、上記と同様に矢印形状に形成されるとよい。
【００９９】
また、例えば、図１２に示す第３変形例に係る弾性止水部材３３０のように、第１セット凸部３４８における頭部３４８ｂがＬ字形状であってもよい。ここでは、頭部３４８ｂは、縦棒部分の一端部にその一側方に延びる横棒部分が連なる形状に形成されている。縦棒部分と横棒部分との長さは異なっており、ここでは、横棒部分は縦棒部分よりも短い。この場合、第１セット凸部３４８が嵌込される第１セット凹部及び第２セット凸部３４９が嵌込される第２セット凹部は、上記と同様にＬ字状に形成されるとよい。
【０１００】
これらの第２及び第３変形例の場合でも、外装部材の内部で第１分割止水部材及び第２分割止水部材が正しい姿勢で組合わされることが担保され、止水性が確保される。
【０１０１】
なお、上記実施形態及び各変形例において、第１セット凸部４８、１４８，２４８、３４８と第２セット凸部４９、１４９、２４９、３４９の形状が異なっていてもよい。例えば、同じ弾性止水部材において、第１セット凸部１４８と第２セット凸部２４９とが適用されてもよい。
【０１０２】
また、上記実施形態及び各変形例において、第１分割止水部材に第１セット凸部が形成され、外装部材に第１セット凹部が形成される例が説明されたが、凹凸関係が逆であってもよい。すなわち、例えば、弾性止水部材における第１分割止水部材に第１セット凸部に代えて有底凹み状の第１セット凹部が形成され、第１外装部材に第１セット凹部に代えて内側に突出する第１セット凸部が形成されてもよい。同様に、弾性止水部材における第２分割止水部材に第２セット凸部に代えて有底凹み状の第２セット凹部が形成され、第２外装部材に第２セット凹部に代えて内側に突出する第２セット凸部が形成されてもよい。
【０１０３】
なお、上記実施形態及び各変形例で説明した各構成は、相互に矛盾しない限り適宜組合わせることができる。
【符号の説明】
【０１０４】
１０    配線モジュール
２０    配線部材
２２（２２ａ、２２ｂ）    線状配線部材
２３（２３ａ、２３ｂ）    奥側線状配線部材
２４    被覆部材
２４ａ    端部
３０、１３０、２３０、３３０    弾性止水部材
３０ａ    円柱状部分
３０ｂ    延長部分
３２    貫通収容部
３３    被覆部材収容凹部
３３ｆ    周面部分
３３ｐ    環状突部
３４（３４ａ、３４ｂ）    貫通部
３４ａｆ、３４ｂｆ    周面部分
３４ａｐ、３４ｂｐ    環状突部
３５（３５ａ、３５ｂ）    奥側貫通部
３６、１３６    第１分割止水部材
３６ａ    突部
３８、１３８    第２分割止水部材
３８ａ    凹部
３９ａ、３９ｂ    スリット
４２    第１外側環状突部
４３    第２外側環状突部
４５    分割面
４６    中央分断面
４６ａ    第１中央分断面
４６ｂ    第２中央分断面
４７    外周部分断面
４８、１４８、２４８、３４８    第１セット凸部
４８ａ、１４８ａ    基部
４８ｂ、１４８ｂ、２４８ｂ、３４８ｂ    頭部
４９、１４９、２４９、３４９    第２セット凸部
４９ａ、１４９ａ    基部
４９ｂ、１４９ｂ    頭部
５０    外装部材
５２、１５２    第１外装部材
５３    底板部
５４、６４    側壁部
５４ｐ    合体用突部
５４ｑ    ガイド突部
５５ａ、６５ａ    第１位置決め部
５５ｂ、６５ｂ    第２位置決め部
５５ｃ    仕切部
５５ｆ、６５ｆ    止水部材分割保持面
５６ａ、６６ａ    半筒状保持部
５７、１５７    第１セット凹部
６２、１６２    第２外装部材
６３    天井板部
６４ｐ    合体用延長片
６４ｐａ    合体用凹部
６７、１６７    第２セット凹部
【図１】
2022002432.tif 000003
【図２】
2022002432.tif 000004
【図３】
2022002432.tif 000005
【図４】
2022002432.tif 000006
【図５】
2022002432.tif 000007
【図６】
2022002432.tif 000008
【図７】
2022002432.tif 000009
【図８】
2022002432.tif 000010
【図９】
2022002432.tif 000011
【図１０】
2022002432.tif 000012
【図１１】
2022002432.tif 000013
【図１２】
2022002432.tif 000014